(57)【特許請求の範囲】
【請求項１】
通信ネットワークを介して接続可能な検索要求送信サーバと通信端末と情報提供サーバとを備える情報提供システムであって、
前記検索要求送信サーバは、前記通信端末に前記情報提供サーバによる情報検索を要求する信号である検索要求信号を送信し、
前記通信端末は、
前記検索要求送信サーバから送信された前記検索要求信号を受信すると共に、受信された前記検索要求信号内に含まれている検索用語句情報を抽出する検索要求受信手段と、
前記通信端末と情報を共有する情報共有端末の連絡先を表す連絡先情報と、情報提供の度合いを決定する重要度情報とが関連付けられて格納された連絡先格納手段と、
前記検索用語句情報、前記連絡先情報及び前記連絡先情報に対応する前記重要度情報を前記情報提供サーバに送信すると共に、前記情報提供サーバからの検索結果を受信する通信手段と、
を有し、
前記情報提供サーバは、
前記通信手段から送信された前記検索用語句情報、前記連絡先情報及び前記重要度情報を受信する受信手段と、
前記検索用語句情報に基づいてデータベースを検索することにより、前記検索用語句情報に関する情報を提供する情報提供元を検索する検索手段と、
前記通信端末を特定する送信元情報と前記連絡先情報と前記重要度情報とに基づいて、前記検索手段による検索結果を前記連絡先に対応する情報提供の度合いに応じて加工して前記連絡先に送信する検索結果送信手段と、
を有することを特徴とする情報提供システム。
【請求項２】
前記通信手段は、前記通信端末の位置情報を前記検索用語句情報に含めて送信し、
前記検索手段は、前記位置情報に基づいて前記情報提供元を検索することを特徴とする請求項１に記載の情報提供システム。
【請求項３】
通信ネットワークを介して接続可能な検索要求送信サーバ、通信端末及び情報提供サーバと、前記情報提供サーバに接続されているグループ情報格納サーバとを備える情報提供システムであって、
前記検索要求送信サーバは、前記通信端末に前記情報提供サーバによる情報検索を要求する信号である検索要求信号を送信し、
前記通信端末は、前記検索要求送信サーバから送信された検索要求信号を受信すると共に、受信された前記検索要求信号内に含まれている検索用語句情報を抽出する検索要求受信手段と、
前記検索用語句情報を前記情報提供サーバに送信すると共に、前記情報提供サーバからの検索結果を受信する通信手段と、
を有し、
前記グループ情報格納サーバは、前記通信端末と情報を共有する情報共有端末の連絡先を表す連絡先情報と、情報提供の度合いを決定する重要度情報とが関連付けられて格納された格納手段を有し、
前記情報提供サーバは、
検索要求受信手段から抽出された前記検索用語句情報を受信する受信手段と、
前記グループ情報格納サーバの前記格納手段から前記連絡先情報及び前記重要度情報を取得する連絡先取得手段と、
前記検索用語句情報に基づいてデータベースを検索することにより、前記検索用語句情報に関する情報を提供する情報提供元を検索する検索手段と、
前記通信端末を特定する送信元情報と前記連絡先情報と前記重要度情報とに基づいて、前記検索手段による検索結果を前記連絡先に対応する情報提供の度合いに応じて加工して前記連絡先に送信する検索結果送信手段と、
を有することを特徴とする情報提供システム。
【請求項４】
前記通信手段は、前記通信端末の位置情報を前記検索用語句情報に含めて送信し、
前記検索手段は、前記位置情報に基づいて前記情報提供元を検索することを特徴とする請求項３に記載の情報提供システム。
【請求項５】
前記検索結果送信手段は、単一の送信先に送信する前記検索結果が複数取得された場合には、複数の前記検索結果をまとめて送信することを特徴とする請求項１〜４のいずれか１項に記載の情報提供システム。
【請求項６】
通信ネットワークを介して接続可能な検索要求送信サーバと情報提供サーバとを備える情報提供システムであって、
前記検索要求送信サーバは、所定の通信端末に前記情報提供サーバによる情報検索を要求する信号である検索要求信号を送信し、
前記情報提供サーバは、
前記検索要求送信サーバから送信された前記検索要求信号を受信した所定の通信端末から送信される、前記検索要求信号内に含まれている検索用語句情報と、前記所定の通信端末と情報を共有する情報共有端末の連絡先を表す連絡先情報と、前記連絡先情報に関連付けられており情報提供の度合いを決定する重要度情報とを受信する受信手段と、
前記検索用語句情報に基づいてデータベースを検索することにより、前記検索用語句情報に関する情報を提供する情報提供元を検索する検索手段と、
前記所定の通信端末を特定する送信元情報と前記連絡先情報と前記重要度情報とに基づいて、前記検索手段による検索結果を前記連絡先に対応する情報提供の度合いに応じて加工して前記連絡先に送信する検索結果送信手段と、
を有することを特徴とする情報提供システム。
【請求項７】
前記検索結果送信手段は、単一の送信先に送信する前記検索結果が複数取得された場合には、複数の前記検索結果をまとめて送信することを特徴とする請求項６に記載の情報提供システム。
【請求項８】
通信ネットワークを介して情報提供サーバから通信端末に対して情報提供元に関する情報を提供する情報提供方法であって、
検索要求送信サーバが、前記通信端末に前記情報提供サーバによる情報検索を要求する信号である検索要求信号を送信するステップと、
前記通信端末が、前記検索要求送信サーバから送信された前記検索要求信号を受信すると共に、受信された前記検索要求信号内に含まれている検索用語句情報を抽出する検索要求受信ステップと、
前記通信端末が、前記検索要求受信ステップにおいて抽出された前記検索用語句情報と、前記通信端末と情報を共有する情報共有端末の連絡先を表す連絡先情報と、前記連絡先情報に関連付けられており情報提供の度合いを決定する重要度情報とを前記情報提供サーバに送信する送信ステップと、
前記情報提供サーバが、前記送信ステップにおいて送信された前記検索用語句情報、前記連絡先情報及び前記重要度情報を受信する受信ステップと、
前記情報提供サーバが、受信された前記検索用語句情報に基づいてデータベースを検索することにより、前記検索用語句情報に関する情報を提供する情報提供元を検索する検索ステップと、
前記情報提供サーバが、前記通信端末を特定する送信元情報と前記連絡先情報と前記重要度情報とに基づいて、前記検索ステップにおける検索結果を前記連絡先に対応する情報提供の度合いに応じて加工して前記連絡先に送信する検索結果送信ステップと、
前記通信端末が、送信された検索結果を受信する検索結果受信ステップと、
を含むことを特徴とする情報提供方法。
【請求項９】
通信ネットワークを介して通信端末に対して情報提供元に関する情報を提供する情報提供方法であって、
検索要求送信サーバと情報提供サーバとが前記通信ネットワークを介して接続可能であり、
前記検索要求送信サーバが、所定の通信端末に前記情報提供サーバによる情報検索を要求する信号である検索要求信号を送信する送信ステップと、
前記情報提供サーバが備える受信手段が、前記送信ステップにおいて送信された前記検索要求信号を受信した所定の通信端末から送信される、前記検索要求信号内に含まれている検索用語句情報と、前記所定の通信端末と情報を共有する情報共有端末の連絡先を表す連絡先情報と、前記連絡先情報に関連付けられており情報提供の度合いを決定する重要度情報とを受信する受信ステップと、
前記情報提供サーバが備える検索手段が、前記検索用語句情報に基づいてデータベースを検索することにより、前記検索用語句情報に関する情報を提供する情報提供元を検索する検索ステップと、
前記情報提供サーバが備える検索結果送信手段が、前記所定の通信端末を特定する送信元情報と前記連絡先情報と前記重要度情報とに基づいて、前記検索ステップにおける検索結果を前記連絡先に対応する情報提供の度合いに応じて加工して前記連絡先に送信する検索結果送信ステップと、
を備えることを特徴とする情報提供方法。
【発明の詳細な説明】
【技術分野】
【０００１】
本発明は、情報提供システム及び情報提供方法並びに情報提供装置に関する。
【背景技術】
【０００２】
あるユーザがコンテンツの取得先を検索するための技術の例として、例えば特許文献１に示されたように、送信した検索キーワードについて得られた検索結果のデータを受信した移動体通信端末から、コンテンツの取得リンク先の情報提供サーバへ検索キーワードが送信されるように、検索結果のデータに含まれる取得リンク先データに検索キーワードを付加する検索システム及び情報提供システムが知られている。また、例えば特許文献２に示されたように、電子メールによる情報共有を行う情報共有サーバ及び情報共有システムが知られている。
【特許文献１】特開２００６−１０７２０１号公報
【特許文献２】特開２００４−１１０４６１号公報
【発明の開示】
【発明が解決しようとする課題】
【０００３】
しかしながら、これらに記載された技術においては、情報共有先に応じて検索結果を共有することは困難であり、各通信端末から検索条件を指定する必要があるため効率的に情報を共有することができなかった。
【０００４】
そこで、本発明は上記の問題に鑑みてなされたものであり、情報共有先に応じて効率的な情報共有が可能な情報提供システム及び情報提供方法並びに情報提供装置を提供することをその目的とする。
【課題を解決するための手段】
【０００７】
上記課題を解決するため、本発明に係る情報提供システムは、通信ネットワークを介して接続可能な検索要求送信サーバと通信端末と情報提供サーバとを備える情報提供システムであって、検索要求送信サーバは、通信端末に情報提供サーバによる情報検索を要求する信号である検索要求信号を送信し、通信端末は、検索要求送信サーバから送信された検索要求信号を受信すると共に、受信された検索要求信号内に含まれている検索用語句情報を抽出する検索要求受信手段と、通信端末と情報を共有する情報共有端末の連絡先を表す連絡先情報と、情報提供の度合いを決定する重要度情報とが関連付けられて格納された連絡先格納手段と、検索用語句情報、連絡先情報及び連絡先情報に対応する重要度情報を情報提供サーバに送信すると共に、情報提供サーバからの検索結果を受信する通信手段と、を有し、情報提供サーバは、通信手段から送信された検索用語句情報、連絡先情報及び重要度情報を受信する受信手段と、検索用語句情報に基づいてデータベースを検索することにより、検索用語句情報に関する情報を提供する情報提供元を検索する検索手段と、通信端末を特定する送信元情報と連絡先情報と重要度情報とに基づいて、検索手段による検索結果を連絡先に対応する情報提供の度合いに応じて加工して連絡先に送信する検索結果送信手段と、を有することを特徴とする。
【０００８】
上記の本発明に係る情報提供システムによれば、検索要求者が直接に検索手段により検索される検索用語句情報を入力しない場合であっても、検索要求端末と通信端末に登録された情報共有端末に自動的に且つ迅速に検索結果を送信することができる。また、検索要求端末及び連絡先に、重要度情報に基づいて加工された検索結果が送信される。これにより、適切な情報の提供、通信トラフィックの削減及び情報提供の最適化を図ることができ、その結果、情報共有先に応じて効率的な情報共有が可能となる。
【０００９】
また、通信手段は、通信端末の位置情報を検索用語句情報に含めて送信し、検索手段は、位置情報に基づいて情報提供元を検索することが好適である。これにより、被災地及び検索要求データを送信した通信端末の位置を特定することができる。
【００１２】
また、本発明に係る情報提供システムは、通信ネットワークを介して接続可能な検索要求送信サーバ、通信端末及び情報提供サーバと、情報提供サーバに接続されているグループ情報格納サーバとを備える情報提供システムであって、検索要求送信サーバは、通信端末に情報提供サーバによる情報検索を要求する信号である検索要求信号を送信し、通信端末は、検索要求送信サーバから送信された検索要求信号を受信すると共に、受信された検索要求信号内に含まれている検索用語句情報を抽出する検索要求受信手段と、検索用語句情報を情報提供サーバに送信すると共に、情報提供サーバからの検索結果を受信する通信手段と、を有し、グループ情報格納サーバは、通信端末と情報を共有する情報共有端末の連絡先を表す連絡先情報と、情報提供の度合いを決定する重要度情報とが関連付けられて格納された格納手段を有し、情報提供サーバは、検索要求受信手段から抽出された検索用語句情報を受信する受信手段と、グループ情報格納サーバの格納手段から連絡先情報及び重要度情報を取得する連絡先取得手段と、検索用語句情報に基づいてデータベースを検索することにより、検索用語句情報に関する情報を提供する情報提供元を検索する検索手段と、通信端末を特定する送信元情報と連絡先情報と重要度情報とに基づいて、検索手段による検索結果を連絡先に対応する情報提供の度合いに応じて加工して連絡先に送信する検索結果送信手段と、を有することを特徴とする。
【００１３】
上記の本発明に係る情報提供システムによれば、検索要求者が直接に検索手段により検索される検索用語句情報を入力しない場合であっても、また検索要求端末に事前に情報を共有する連絡先情報を登録しなくても、検索要求端末とグループ情報格納サーバに格納されている連絡先情報に自動的に且つ迅速に検索結果を送信することができる。また、事前に登録する必要がないため、通信端末のメモリを圧迫することがない。更に、このように、重要度に応じて提供情報内容を変更することにより適切な情報の提供、通信トラフィックの削減及び情報提供内容の最適化を図ることができる。従って、本発明に係る情報提供システムによれば、情報共有先に応じて効率的に情報を共有することができる。
【００１４】
また、通信手段は、通信端末の位置情報を検索用語句情報に含めて送信し、検索手段は、位置情報に基づいて情報提供元を検索することが好適である。これにより、被災地及び検索要求データを送信した通信端末の位置を特定することができる。
【００１８】
また、検索結果送信手段は、単一の送信先に送信する検索結果が複数取得された場合には、複数の検索結果をまとめて送信することが好適である。これにより、より最適化された検索結果ファイルを送信することができ、情報共有先に応じてより効率的な情報共有が可能となる。
【００１９】
本発明に係る情報提供システムは、通信ネットワークを介して接続可能な検索要求送信サーバと情報提供サーバとを備える情報提供システムであって、検索要求送信サーバは、所定の通信端末に情報提供サーバによる情報検索を要求する信号である検索要求信号を送信し、情報提供サーバは、検索要求送信サーバから送信された検索要求信号を受信した所定の通信端末から送信される、検索要求信号内に含まれている検索用語句情報と、所定の通信端末と情報を共有する情報共有端末の連絡先を表す連絡先情報と、連絡先情報に関連付けられており情報提供の度合いを決定する重要度情報とを受信する受信手段と、検索用語句情報に基づいてデータベースを検索することにより、検索用語句情報に関する情報を提供する情報提供元を検索する検索手段と、所定の通信端末を特定する送信元情報と連絡先情報と重要度情報とに基づいて、検索手段による検索結果を連絡先に対応する情報提供の度合いに応じて加工して連絡先に送信する検索結果送信手段と、を有することを特徴とする。
【００２０】
本発明に係る情報提供システムでは、このような構成を採用することで、重要度情報に応じて送信される検索結果の内容を変更することができ、適切な情報の提供、通信トラフィックの削減及び提供情報内容の最適化を図ることができる。従って、本発明に係る情報提供システムによれば、情報共有先に応じて効率的に情報を共有することができる。
【００２１】
また、検索結果送信手段は、単一の送信先に送信する検索結果が複数取得された場合には、複数の検索結果をまとめて送信することが好適である。これにより、より最適化された検索結果を送信することができ、情報共有先に応じてより効率的な情報共有が可能となる。
【００２２】
本発明に係る情報提供方法は、通信ネットワークを介して情報提供サーバから通信端末に対して情報提供元に関する情報を提供する情報提供方法であって、検索要求送信サーバが、通信端末に情報提供サーバによる情報検索を要求する信号である検索要求信号を送信するステップと、通信端末が、検索要求送信サーバから送信された検索要求信号を受信すると共に、受信された検索要求信号内に含まれている検索用語句情報を抽出する検索要求受信ステップと、通信端末が、検索要求受信ステップにおいて抽出された検索用語句情報と、通信端末と情報を共有する情報共有端末の連絡先を表す連絡先情報と、連絡先情報に関連付けられており情報提供の度合いを決定する重要度情報とを情報提供サーバに送信する送信ステップと、情報提供サーバが、送信ステップにおいて送信された検索用語句情報、連絡先情報及び重要度情報を受信する受信ステップと、情報提供サーバが、受信された検索用語句情報に基づいてデータベースを検索することにより、検索用語句情報に関する情報を提供する情報提供元を検索する検索ステップと、情報提供サーバが、通信端末を特定する送信元情報と連絡先情報と重要度情報とに基づいて、検索ステップにおける検索結果を連絡先に対応する情報提供の度合いに応じて加工して連絡先に送信する検索結果送信ステップと、通信端末が、送信された検索結果を受信する検索結果受信ステップと、を含むことを特徴とする。
【００２３】
本発明に係る情報提供方法は、検索ステップにおける検索結果が通信端末及び通信端末に登録された連絡先に送信される検索結果受信ステップを含む。これにより、検索を申し込んだ通信端末（検索要求端末）と通信端末に登録された連絡先（情報共有端末）情報に自動的に且つ迅速に検索結果を送信することができ、これに伴って、自動的に且つ迅速に、検索要求端末のユーザと情報共有端末のユーザとが情報を共有することができる。また、検索結果受信ステップにおいて、検索結果が連絡先に対応する情報提供の度合いに応じて加工されて、検索要求端末及び連絡先に送信される。このように、重要度情報に応じて送信される検索結果の内容を変更することにより適切な情報の提供、通信トラフィックの削減及び提供情報内容の最適化を図ることができる。従って、本発明に係る情報提供方法によれば、情報共有先に応じて効率的に情報を共有することができる。
【００２４】
本発明に係る情報提供方法は、通信ネットワークを介して通信端末に対して情報提供元に関する情報を提供する情報提供方法であって、検索要求送信サーバと情報提供サーバとが通信ネットワークを介して接続可能であり、検索要求送信サーバが、所定の通信端末に情報提供サーバによる情報検索を要求する信号である検索要求信号を送信する送信ステップと、情報提供サーバが備える受信手段が、送信ステップにおいて送信された検索要求信号を受信した所定の通信端末から送信される、検索要求信号内に含まれている検索用語句情報と、所定の通信端末と情報を共有する情報共有端末の連絡先を表す連絡先情報と、連絡先情報に関連付けられており情報提供の度合いを決定する重要度情報とを受信する受信ステップと、情報提供サーバが備える検索手段が、検索用語句情報に基づいてデータベースを検索することにより、検索用語句情報に関する情報を提供する情報提供元を検索する検索ステップと、情報提供サーバが備える検索結果送信手段が、所定の通信端末を特定する送信元情報と連絡先情報と重要度情報とに基づいて、検索ステップにおける検索結果を連絡先に対応する情報提供の度合いに応じて加工して連絡先に送信する検索結果送信ステップと、を備えることを特徴とする。
【００２５】
本発明に係る情報提供方法では、検索結果送信ステップにおいて、検索結果が連絡先に対応する情報提供の度合いに応じて加工されて、検索要求端末及び連絡先に送信される。このように、重要度情報に応じて送信される検索結果の内容を変更することにより適切な情報の提供、通信トラフィックの削減及び提供情報内容の最適化を図ることができる。従って、本発明に係る情報提供方法によれば、情報共有先に応じて効率的に情報を共有することができる。
【発明の効果】
【００２６】
本発明によれば、情報共有先に応じて効率的な情報共有が可能な情報提供システム及び情報提供方法並びに情報提供装置を提供することができる。
【発明を実施するための最良の形態】
【００２７】
以下、添付図面を参照しながら本発明の実施形態を詳細に説明する。なお、図面の説明において、同一又は同等の要素には同一符号を用い、重複する説明を省略する。
【００２８】
（第１実施形態）
図１は、第１実施形態に係る情報提供システム１の概略構成図である。情報提供システム１は、通信ネットワーク２０を介して接続可能な携帯電話機（通信端末）１０Ａ，１０Ｂ，及び１０Ｃと、情報提供サーバ３０とを備える。本実施形態において、携帯電話機１０Ａは情報提供サービスに加入したユーザが所持する携帯電話機（以下、情報要求端末という。）であり、携帯電話機１０Ｂ，１０Ｃは携帯電話機１０Ａに対応した連絡先として登録された携帯電話機（以下、情報共有端末という。）である。
【００２９】
携帯電話機１０Ａ，１０Ｂ及び１０Ｃは、自機が在圏する無線エリアをカバーする基地局（不図示）と無線通信を行い、通話サービスあるいはパケット通信サービスを受ける通信端末である。携帯電話機１０Ａ，１０Ｂ及び１０Ｃは、物理的には、ＣＰＵ、通信装置、メモリ、ＧＰＳ測位モジュール、入力キー、ディスプレイ等を有している。なお、本実施形態における情報提供システム１では、通信端末の具体例として携帯電話機１０Ａ，１０Ｂ及び１０Ｃを基に説明しているが、通信端末の具体例はこれに限られず、例えば、簡易型携帯電話機（ＰＨＳ）や通信機能を有する携帯型情報端末（ＰＤＡ）等の通信端末であってもよい。
【００３０】
図２を参照して携帯電話機１０Ａの機能的な構成要素について説明する。携帯電話機１０Ａは、入力部１０１、検索用語句格納部１０２、検索用データ通知部１０３、連絡先格納部１０４、通信部１０５、及び情報提供元アクセス部１０６からなる。以下、携帯電話機１０Ａの構成要素について詳細に説明する。
【００３１】
入力部１０１は、携帯電話機１０Ａのディスプレイ上の入力画面（以下、ＵＩ（User Interface）コンテンツという）を利用して、情報提供元の検索に必要なキーワード等の検索用語句を表す検索用語句情報をユーザが入力できるようにするため部分である。また、入力部１０１は、ユーザ操作により検索用語句格納部１０２から検索用語句情報の取得を指示する機能をも有する。なお、入力部１０１により入力された検索用語句情報、又はユーザ操作により検索用語句格納部１０２から取得された検索用語句情報は、検索用データ通知部１０３に出力される。
【００３２】
検索用データ通知部１０３は、検索用語句情報（例えば、“ＡＡＡＡＡ”）を受信すると共に、検索用語句格納部１０２からその検索用語句情報に対応する付随情報（例えば、“ＢＢＢ”）を取得する。また、検索用データ通知部１０３は、連絡先格納部１０４から連絡先情報（例えば、“１１１１１１１１１＠ｘｘｘ．ｘｘｘ．ｊｐ（携帯電話機１０Ｂの連絡先）”，“２２２２２２２２２＠ｙｙｙ．ｙｙｙ．ｊｐ（携帯電話機１０Ｃの連絡先）”）と連絡先に対応する重要度情報（例えば、それぞれに対して“高”，“低”）とを取得する。
【００３３】
ここで、検索用語句格納部１０２は、検索用語句情報と、各検索用語句情報に関連付けられており検索用語句情報に付随する情報である付随情報と、を予め格納する。また、連絡先格納部１０４は、携帯電話機１０Ｂ及び１０Ｃのユーザを含む情報共有端末の連絡先情報と、情報提供の度合いを決定する重要度情報とを予め関連付けて格納するものであり、例えば、具体的なデータの例を示すアドレス帳である。
【００３４】
検索用データ通知部１０３は、取得した連絡先情報及び重要度情報を検索用語句情報及び付随情報に関連づけて検索用データとして作成する。例えば、検索用データ通知部１０３により図３に示すような検索用データが作成される。すなわち、検索用データ通知部１０３により、同図に示すように、受信した検索用語句情報（“ＡＡＡＡＡ”）と検索用語句格納部１０２においてその検索用語句情報に対応付けられている付随情報（“ＢＢＢ”）と、連絡先情報（“１１１１１１１１１＠ｘｘｘ．ｘｘｘ．ｊｐ”，“２２２２２２２２２＠ｙｙｙ．ｙｙｙ．ｊｐ”）と、それぞれの連絡先情報に対応する重要度情報（“高”，“低”）とを含む検索用データが作成される。検索用データ通知部１０３は、作成された検索用データを通信部１０５に通知する。
【００３５】
通信部１０５は、検索用データ通知部１０３から通知された検索用データを受け、その検索用データを通信ネットワーク２０を介して情報提供サーバ３０へ送信する部分である。また、通信部１０５は、情報提供サーバ３０による検索終了後、情報提供サーバ３０から送信される検索結果ファイルを受信し、その検索結果ファイルを情報提供元アクセス部１０６に出力する。
【００３６】
情報提供元アクセス部１０６は、通信部１０５から出力された検索結果ファイルを受信して、情報検索結果を基にインターネット網内のＷＥＢサイト、放送サービスの接続先等の情報提供元に通信部１０５又は携帯電話機１０Ａに具備されている放送受信機を介してアクセスする機能を有する。
【００３７】
次に、図４を参照して情報提供サーバ３０の機能構成について説明する。情報提供サーバ３０は、例えば、データを記憶するストレージ装置を備えたサーバであり、物理的な構成要素として、主にＣＰＵ、各種メモリ、ストレージ装置、通信装置などを備えている。また、情報提供サーバ３０は、機能的な要素として、検索用データ受信部２０１と、検索部２０２と、格納部２０２Ａ、検索結果ファイル生成部２０３と、検索結果送信部２０４とを備えており、インターネット網４０に接続されている。
【００３８】
検索用データ受信部２０１は、携帯電話機１０Ａの通信部１０５より送信された検索用データを受信する部分であり、検索内容取得部２０１Ａ及び連絡先取得部２０１Ｂを有する。検索内容取得部２０１Ａは、検索用データのうちの検索用語句情報及び付随情報を受信し、その受信した検索用語句情報及び付随情報を検索部２０２に出力する。一方、連絡先取得部２０１Ｂは、検索用データのうちの連絡先情報及び重要度情報を受信すると共に、検索要求端末である送信元情報も取得する部分である。なお、送信元情報及び連絡先情報は検索結果ファイルの送信先情報となる。なお、連絡先取得部２０１Ｂは、受信した連絡先情報及び重要度情報と取得した送信元情報とを、検索結果ファイル生成部２０３に出力する。
【００３９】
検索部２０２は、その内部のデータベースである格納部２０２Ａと、検索部２０２に接続されているインターネット網４０とを介して、検索内容取得部２０１Ａから入力された検索用語句情報及び付随情報を元に、それらの情報を提供することができるＷＥＢサイト、放送サービス等の情報提供元をインターネット網４０内のデータベースから検索する。ここで、格納部２０２Ａは、特定の検索用語句情報とその検索用語句情報の詳細確認が可能な情報提供元とを関連付けて予め格納している部分である。検索部２０２による情報提供元の検索方法を具体的に説明すると、検索用データ受信部２０１から検索用語句情報及び付随情報が入力されると、検索部２０２は、まず、これらの情報を提供できる情報提供元を格納部２０２Ａから検索する。一方、格納部２０２Ａから情報提供元が得られなかった場合にはインターネット網４０内のデータベースを介して情報提供元を検索する。また、インターネット網４０内のデータベースを介して情報提供元が得られた場合には、その検索結果をその内部の格納部２０２Ａに保存すると共に、検索結果ファイル生成部２０３に対して出力する。
【００４０】
検索結果ファイル生成部２０３は、連絡先取得部２０１Ｂからの送信先情報、重要度情報と、検索部２０２からの検索結果とを受信して、重要度情報により決定された情報提供の度合いに基づいて送信先情報に応じて検索結果を加工し、検索結果ファイルを作成する。なお、連絡先情報に対する検索結果ファイルの作成においては、送信元（検索要求端末）情報に対する検索結果ファイルの内容が基準となる。例えは、重要度情報“高”の場合には、検索要求端末に送信される検索結果ファイルと同一の検索結果ファイルを作成し、重要度情報“低”の場合には制限された一部の情報のみを含む検索結果ファイルを作成する。また、検索結果ファイル生成部２０３は、その作成された検索結果ファイルを検索結果送信部２０４に出力する。
【００４１】
検索結果送信部２０４は、検索結果ファイル生成部２０３において作成された検索結果ファイルを受信し、検索要求端末である携帯電話機１０Ａ及び、情報共有端末である携帯電話機１０Ｂ，１０Ｃそれぞれに、通信ネットワーク２０を介して、重要度情報に基づいて加工され作成された検索結果ファイルを送信する。
【００４２】
例を挙げて説明すると、図５に示すように、携帯電話機１０Ａ，１０Ｂ及び１０Ｃそれぞれには、以下のような検索結果ファイルが送信される。すなわち、検索要求を実施した情報要求端末、携帯電話機１０Ａには、“検索が完了しました。（改行）ＷＥＢで確認（改行）ｈｔｔｐ：／／ｗｗｗ．ｘｘｘ．ｊｐ（改行）テレビで確認＜チャネル＞”という内容の詳細な情報が取得なＷＥＢサイト、放送サービス等の情報提供元を含めた検索結果ファイルが提供される。
【００４３】
また、重要度情報が“高”である携帯電話機１０Ｂには、“○○さんが×××について検索しました。（改行）ＷＥＢで確認（改行）ｈｔｔｐ：／／ｗｗｗ．ｘｘｘ．ｊｐ（改行）テレビで確認＜チャネル＞”という、実質的に検索要求元端末に提供された検索結果ファイルと同一で、詳細な情報が取得なＷＥＢサイト、放送サービス等の情報提供元を含めた検索結果ファイルが提供される。一方、重要度情報が“低”である携帯電話機１０Ｃには、“○○さんが×××について検索しました。”という検索要求元端末のユーザ情報のみを含めた検索結果ファイルが提供される。
【００４４】
次に、図６を参照して、本実施形態における情報提供システム１で実行される情報提供処理の流れについて説明する。まず、情報要求端末である携帯電話機１０Ａでは、ユーザの入力部１０１を用いた入力又は操作により、検索用語句情報が直接入力又は検索用語句格納部１０２から取得される（ステップ１０１）。その後、検索用語句情報が検索用データ通知部１０３に対して出力される。
【００４５】
次に、検索用データ通知部１０３によって、検索用語句情報が受信されると共に、検索用語句格納部１０２から検索用語句情報に対応付けられて格納されている付随情報が取得される（ステップ１０２）。また、検索用データ通知部１０３によっては、連絡先格納部１０４からの連絡先情報及び重要度情報が取得される（ステップ１０３）。その後、検索用データ通知部１０３により、検索用語句情報及び付随情報に連絡先情報及び重要度情報が関連づけられて検索用データが作成され、その作成された検索用データが通信部１０５に通知される（ステップ１０４）。検索用データ通知部１０３から通知された検索用データは、通信部１０５により、通信ネットワーク２０を介して情報提供サーバ３０に送信される（ステップ１０５）。
【００４６】
通信部１０５から情報提供サーバ３０に検索用データが送信されると、検索用データのうちの検索用語句情報及び付随情報は検索用データ受信部２０１の検索内容取得部２０１Ａを介して検索部２０２に出力される。
【００４７】
次に、検索部２０２により、検索内容取得部２０１Ａを介して入力された検索用語句情報及び付随情報を元に格納部２０２Ａ又はインターネット網を介して情報提供元が検索されてその検索結果が検索結果ファイル生成部２０３に出力される（ステップ１０６）。情報提供元の検索においては、まず、格納部２０２Ａにおける検索が行われ、その検索により情報提供元が得られなかった場合インターネット網４０を介した検索が行われる。なお、情報提供元が検索用語句情報及び付随情報を元にインターネット網４０を介した検索により得られた場合には、検索結果ファイルの内容は格納部２０２Ａに格納される。
【００４８】
一方、検索用データのうちの連絡先情報及び重要度情報と、送信先情報とが検索用データ受信部２０１の連絡先取得部２０１Ｂにより受信又は取得され、それらの情報が検索結果ファイル生成部２０３に出力される（ステップ１０７）。
【００４９】
検索結果ファイル生成部２０３によって、重要度情報により決定された情報提供の度合いに基づいて連絡先情報及び送信先情報に応じて検索結果が加工されて検索結果ファイルが作成され、その作成された検索結果ファイルは検索結果送信部２０４に対して出力される（ステップ１０８）。
【００５０】
検索結果送信部２０４によって、情報要求端末である携帯電話機１０Ａ及び、情報共有端末である携帯電話機１０Ｂ，１０Ｃそれぞれに、通信ネットワーク２０を介して検索結果ファイルが送信される（ステップ１０９）。
【００５１】
これにより、情報要求端末の携帯電話機１０Ａ及び情報共有端末の携帯電話機１０Ｂ，１０Ｃの各ユーザは、それぞれの携帯電話機１０Ａ，１０Ｂ及び１０Ｃに送信された検索結果ファイルを受信して（ステップ１１０）、重要度情報に応じた情報を取得することができる。なお、検索結果ファイル中に詳細な情報提供元が表示された場合には、情報提供元アクセス部１０６を用いてその情報提供元にアクセスすることができる。
【００５２】
本実施形態に係る情報提供システム１では、携帯電話機１０Ａに、携帯電話機１０Ａと情報を共有する情報共有端末の連絡先情報が格納された連絡先格納部１０４を備えており、検索結果が情報要求端末である携帯電話機１０Ａと情報共有端末である携帯電話機１０Ｂ及び１０Ｃとに送信される。これにより、検索を申し込んだ携帯電話機１０Ａと携帯電話機１０Ａに登録された携帯電話機１０Ｂ及び１０Ｃに自動的に且つ迅速に検索結果を送信することができ、これに伴って、自動的に且つ迅速に、検索要求端末のユーザとその知人が情報を共有することができる。
【００５３】
また、重要度情報により決定された情報提供の度合いに基づく検索結果ファイルが作成され、その作成された検索結果ファイルが携帯電話機１０Ａ，１０Ｂ及び１０Ｃに送信される。そのため、重要度情報に応じて提供情報内容を変更することにより適切な情報の提供、通信トラフィックの削減及び提供情報内容の最適化を図ることができ、その結果、情報共有先に応じて効率的な情報共有を図ることができる。
【００５４】
また、検索部２０２は、情報提供サーバ３０に格納部２０２Ａを有し、まず、これらの情報を提供できる情報提供元を格納部２０２Ａから検索して、格納部２０２Ａから情報提供元が得られなかった場合にはインターネット網４０内のデータベースを介して情報提供元を検索する。このような検索方法を採用することにより検索の効率化を図ることができると共に情報提供サーバ３０での検索時間の短縮も可能となる。
【００５５】
（第２実施形態）
次に、本発明の第２実施形態について説明する。図７及び図８に示すように、第２実施形態に係る情報提供システム２は、検索要求送信サーバ５０を更に備える点と、検索要求送信サーバ５０を更に備えることに起因して携帯電話機１０Ａが入力部１０１に替えて検索要求受信部１０７を有する点で、第１実施形態の情報提供システム１と相違する。その他の構成は、情報提供システム１の構成と同等であるため、同一の符号を付して重複説明を省略する。
【００５６】
検索要求送信サーバ５０は、所定の状態が発生された場合等において、通信ネットワーク２０を介して、所定のエリアに在圏する携帯電話機１０Ａに検索を要求する信号である検索要求信号を送信するものである。
【００５７】
携帯電話機１０Ａの検索要求受信部１０７は検索要求送信サーバ５０から送信された検索要求信号を受信すると共に、受信された検索要求信号内に含まれている検索用語句情報を抽出して、その検索用語句情報を検索用データ通知部１０３に出力する。検索用データ通知部１０３は、検索用語句情報を受信すると共に、検索用語句格納部１０２からその検索用語句情報に対応づけて格納されている付随情報を取得する。
【００５８】
以下、図９を参照しつつ、本実施形態に係る情報提供システム２で実行される情報提供処理の流れについて説明する。
【００５９】
まず、検索要求送信サーバ５０から、通信ネットワーク２０を介して所定のエリアに在圏する携帯電話機１０Ａに対して検索要求信号が送信される（ステップ２０１）と、検索要求受信部１０７により検索要求信号内に検索用語句情報が含まれているかが判断される（ステップ２０２）。その判断の結果、検索用語句情報が含まれていないと判断されたときは、処理が終了される（ステップ２０３）。一方、検索要求信号内に検索用語句情報が含まれていると判断された場合には、検索用語句情報が抽出され、検索用データ通知部１０３に出力される（ステップ２０４）。
【００６０】
その後、情報提供システム１のステップ１０２〜ステップ１１０に相当するステップ２０５〜ステップ２１３を経て、情報要求端末の携帯電話機１０Ａ及び情報共有端末の携帯電話機１０Ｂ，１０Ｃの各ユーザは、それぞれの携帯電話機１０Ａ，１０Ｂ及び１０Ｃに送信された検索結果ファイルを受信して（ステップ２１３）、重要度情報に応じた情報を取得することができる。なお、検索結果ファイル中に詳細な情報提供元が表示された場合には、情報提供元アクセス部１０６を用いてその情報提供元にアクセスすることができる。
【００６１】
第２実施形態に係る情報提供システム２は、情報提供システム１に対比して、検索要求送信サーバ５０を更に備えており、携帯電話機１０Ａが入力部１０１に替えて検索要求送信サーバ５０から送信された検索要求信号を受信すると共に、受信された検索要求信号内に含まれている検索用語句情報を抽出して、その検索用語句情報を検索用データ通知部１０３に出力する検索要求受信部１０７を有する。携帯電話機１０Ａのユーザが、直接に検索部２０２により検索される検索用語句情報を入力しない場合であっても、情報提供システム１と同様の効果を得ることができる。
【００６２】
上述した第２実施形態の情報提供システム２は、災害の発生を検知した場合に災害情報提供システムに適用することができる。その適用態様を具体的に説明すると、検索要求送信サーバ５０が、例えば地震という災害の発生を検知した場合に、検索要求信号として緊急通報を災害による被害が及ぶ地域に在圏する携帯電話機１０Ａを含む携帯電話機に送信する。検索要求受信部１０７は、緊急通報内に含まれている検索用語句情報“地震”を抽出して、その検索用語句情報“地震”を検索用データ通知部１０３に出力する。検索用データ通知部１０３は、検索用語句情報“地震”を受信すると共に、検索用語句格納部１０２に格納されている付随情報を取得する。
【００６３】
図１０において、情報提供システム２を災害情報提供システムに適用した場合、検索用データ通知部１０３によって作成された検索用データの一例が示されている。図１０において挙げられている検索用データは、検索用語句情報（災害内容）、付随情報（検索要求回数および位置情報）、連絡先情報及び重要度情報で構成されている。具体的に説明すると、同図に示すように、災害内容（“地震”）と、検索用語句格納部１０２において災害内容に対応付けられている検索要求回数（“０回目”）及び位置情報（“○○県××市”）と、連絡先情報（“１１１１１１１１１＠ｘｘｘ．ｘｘｘ．ｊｐ”，“２２２２２２２２２＠ｙｙｙ．ｙｙｙ．ｊｐ”，・・・）と、それぞれ連絡先情報に対応する重要度情報（“高”，“低”，・・・）とを含む検索用データが作成される。
【００６４】
ここで、検索要求回数とは、同一の検索用語句情報“地震”を含む緊急通報が複数連続して送信された場合において、緊急通報を受信して情報提供サーバ３０に対して検索要求を実施した検索要求回数をいう。また、位置情報とは、緊急通報を受信した携帯電話機１０Ａの位置を特定するためのものであり、携帯電話機１０Ａが通信を利用するために保持している基地局の位置を表す基地局位置情報をいう。
【００６５】
上記の例により、検索要求回数を付随情報として情報提供サーバ３０に送信される検索用データの構成要素とすることにより、情報提供サーバ３０での検索内容を差別化して、一回目と２回目以上とによって携帯電話機１０Ａ，１０Ｂ及び１０Ｃに提供する情報の内容を差別化することができる。具体的に説明すると、１回目の検索では、「緊急」という用語を付随情報として更に追加し、２回目の検索では、「詳細」という用語を付随情報として更に追加して検索用データを作成し、その検索用データを情報提供サーバ３０に送信して検索させることで、最適な災害情報を提供することができる。
【００６６】
情報提供システム２を災害情報提供システムに適用した場合には、重要度情報にのみならず検索要求回数にも基づいて送信先情報の各送信先に対応した検索結果を加工し、検索結果ファイルを作成することが好ましい。また、検索結果ファイルの作成の際に2回目以降はそれ以前に検索した結果を除外することで、検索効率を向上させることも可能となる。
【００６７】
なお、図１０に示す例の“検索要求回数”及び“位置情報”以外の情報を更に付随情報とすることでもよく、“位置情報”を地名ではなくＧＰＳ検索結果で表わされる緯度及び経度からなるデータで指定してもよい。
【００６８】
図１１においては、情報提供システム２を災害情報提供システムに適用した場合、携帯電話機１０Ａ，１０Ｂ及び１０Ｃに送信される検索結果ファイルの例が示されている。同図を用いて具体的に説明すると、検索要求を実施した情報要求端末、携帯電話機１０Ａには、“×××で地震がありました。（改行）非難場所（改行）経路○○公園＜映像ファイル＞（改行）ＷＥＢで確認（改行）ｈｔｔｐ：／／ｗｗｗ．ｘｘｘ．ｊｐ（改行）テレビで確認＜チャネル＞（改行）災害伝言板にアクセス（改行）ｈｔｔｐ：／／ｗｗｗ．ｙｙｙ．ｊｐ”という内容の検索結果ファイルが送信される（図１１（ａ））。このように、災害地に在圏しており緊急通報を受信した携帯電話機Ａに対しては、避難場所を含めて詳細な情報を取得可能な情報提供元が複数提示される。なお、他の内容が更に提示されてもよいが、緊急通報を受信した携帯電話機Ａが被災地にいることは明らかであり、緊急通報で被災地がどこであるかの確認が可能であることから、被災地がどこであるかの情報は省略してもよい。
【００６９】
重要度情報が“高”である携帯電話機１０Ｂには、“×××で地震がありました。（改行）○○さんが×××近辺にいます。（改行）ＷＥＢで確認（改行）ｈｔｔｐ：／／ｗｗｗ．ｘｘｘ．ｊｐ（改行）テレビで確認（改行）＜チャネル＞”という内容の検索結果ファイルが送信される（図１１（ｂ））。一方、重要度情報が“低”である携帯電話機１０Ｃには、“×××で地震がありました。（改行）○○さんが×××近辺にいます。”という内容の検索結果ファイルが送信される（図１１（ｃ））。
【００７０】
このように、位置情報を付随情報として情報提供サーバ３０に送信される検索用データの構成要素とすることにより、被災地及び検索要求データを送信した通信端末の位置を特定することができる。そのため、検索結果ファイルには被災地及び検索用データを送信した携帯電話機１０Ａの位置を特定できる情報を含ませることができ、効果的な情報共有を図ることができる。本実施形態においては、検索用データを送信した携帯電話機１０Ａ以外の携帯電話機１０Ｂ，１０Ｃには、誰が被災地にいるのかを通知する必要があるため、それぞれに送信される検索結果ファイルには被災地を特定できる情報が含まれている。
【００７１】
また、重要度情報が“高”である携帯電話機１０Ｂには、災害内容“地震”に関する詳細な情報の取得が可能な複数の情報提供元の提供することで、早急に災害があったことを通知しかつ早急に安否確認を実施することが可能となる。一方、重要度情報が“低”である携帯電話機１０Ｃには、誰が被災地にいるかのみの情報が提供される。
【００７２】
情報提供システム２が適用された災害情報提供システムで実行される情報提供は、情報提供システム２のステップ２０１〜２１３と同様のステップを経て処理される。但し、ステップ１０２の検索用語句情報が含まれているか否かの判断は、災害内容（検索用語句情報）“地震”に関する一般的な語句を含んでいるか否かの判断ではなく、真の災害内容が含まれているか否かが判断される。
【００７３】
以上のように、情報提供システム２を災害情報提供システムに適用することにより、直接に検索部２０２により検索される検索用語句情報を入力しない場合であっても、緊急通報を受信した携帯電話機１０Ａ及び携帯電話機１０Ａに登録されている携帯電話機１０Ｂ及び１０Ｃに必要な情報を早急に共有することができる。また、送信元情報と連絡先情報とに、重要度情報及び検索要求回数に基づく検索結果が送信される。このように、重要度情報のみならず検索要求回数に応じて提供情報内容を変更することにより適切な情報の提供、通信トラフィックの削減及び更なる提供情報内容の最適化を更に図ることができ、その結果、情報共有先に応じてより効率的に情報を共有することができる。
【００７４】
緊急通報を災害による被害が及ぶ地域に在圏する携帯電話機１０Ａに、情報提供元が複数提示されるため、災害の状況により基地局やＷＥＢサイトサーバが収容されている建物の倒壊等の理由により特定の情報提供元だけではアクセスできない場合であっても、災害内容に関する詳細な情報を得ることができる情報提供元を提供することができる。
【００７５】
（第３実施形態）
次に、本発明の第３実施形態について説明する。図１２〜図１４に示すように、第３実施形態に係る情報提供システム３は、情報提供サーバ３０に接続されており情報共有端末１０Ｂ，１０Ｃの連絡先を含むグループ情報格納サーバ６０を更に有する点、携帯電話機１０Ａにおいて連絡先格納部１０４が設けられていない点、情報提供サーバ３０において連絡先取得部２０１Ｂが検索用データ受信部２０１に含まれず、検索用データ受信部２０１から分離されており、検索用データ受信部２０１内にはその分離された検索用データ受信部２０１に替えて検索用データ送信元取得部２０１Cが設けられている点で、第１実施形態の情報提供システム１と相違する。その他の構成は、情報提供システム１の構成と同等であるため、同一の符号を付して重複説明を省略する。
【００７６】
携帯電話機１０Ａは、連絡先格納部１０４を有しないため、入力部１０１、検索用データ通知部１０３、検索用語句格納部１０２、通信部１０５及び情報提供元アクセス部１０６で構成される。このように、連絡先格納部１０４を具備しないことであり、検索用データ通知部１０３は、検索用語句情報及び付随情報で構成された検索用データを情報提供サーバ３０に送信することになる。
【００７７】
グループ情報格納サーバ６０は、情報要求端末である携帯電話機１０Ａが属しているグループのメンバーがグループ化されて格納されたグループ情報格納部６１を有している。また、そのグループ情報格納部６１には、当該グループの構成メンバーの連絡先情報と、情報提供の度合いを決定する重要度情報とが関連付けられて格納されており、例えば通信会社であれば家族割引サービスの対象グループのメンバー一覧が格納されているデータベース、ＳＮＳ提供会社であればトピックに登録されているユーザグループのメンバー一覧が格納されているデータベース、もしくはこれらのデータベースを組み合わせて格納されているデータベースが格納されている。
【００７８】
検索用データ受信部２０１の検索用データ送信元取得部２０１Cは、検索要求送信サーバ５０により送信された検索要求信号から検索用データを送信してきた携帯電話機１０Ａ（情報要求端末）の連絡先を表す送信元情報を特定して、その特定した送信元情報を連絡先取得部２０１Ｂに出力する。ここで、情報要求端末を特定する方法としては、検索要求信号の記載から特定する方法、検索要求エリアを特定する情報を記録しておき、当該エリアに在圏する携帯情報端末をグループ情報格納サーバにより取得する方法が挙げられる。
【００７９】
連絡先取得部２０１Ｂは、検索用データ送信元取得部２０１Cからの送信先情報を受信すると共に、グループ情報格納サーバ６０にアクセスして送信元情報が所属しているグループを検索する。また、連絡先取得部２０１Ｂは、当該グループの構成メンバーの連絡先情報及びそれに関連づけられている重要度情報を取得し、その取得した連絡先情報及び重要度情報を検索結果ファイル生成部２０３に出力する。
【００８０】
ここで、図１５を参照して、グループ情報格納サーバ６０内のグループ情報格納部６１に格納された情報について説明する。図１５に示すグループ情報格納部６１に格納された情報の一例によれば、グループ情報格納部６１には、カテゴリ名、グループ名、連絡先情報、及び各連絡先情報の重要度情報が関連づけられて格納されている。ここで、カテゴリ名には、グループを特定できる情報（ファミリー、趣味等）が格納される。グループ名には、カテゴリ名に格納された情報に関連付けられたグループの名称が格納されている。例えば、図１５によれは、複数のグループ名“ファミリーＡ，ファミリーＢ等”がカテゴリ名“ファミリー”に関連づけて格納されており、複数のグループ名“スポーツＡ，車等”がカテゴリ名“趣味”に関連づけて格納されている。
【００８１】
なお、グループ名は、ユーザが事前登録を実施する形であればユーザが命名することでもよく、システム側で自動的に付与することでも問題はない。また、ユーザが事前登録する形であれば、検索結果ファイルにグループ名を表示させることも可能となる。
【００８２】
また、グループ名に格納された情報に関連づけて連絡先情報及び重要度情報が格納されている。例えば、カテゴリ名が“ファミリー”で、グループ名が“ファミリーＡ”である場合には、連絡先情報としては“１１１１１１１１１＠ｘｘｘ．ｘｘｘ．ｊｐ（携帯電話機１０Ｂの連絡先）”，“２２２２２２２２２＠ｙｙｙ．ｙｙｙ．ｊｐ（携帯電話機１０Ｃの連絡先）”等が格納され、重要度情報としてはそれぞれの連絡先情報に対応して“高”，“高” ，“高”が格納されている。
【００８３】
以下、図１６を参照しつつ、本実施形態に係る情報提供システム３で実行される情報提供処理の流れについて説明する。まず、情報提供システム１のステップ１０１及び１０２に対応するステップ３０１及び３０２を経て、検索用データ通知部１０３によって検索用語句情報及び付随情報が取得される。その後、検索用データ通知部１０３により、その取得された検索用語句情報及び付随情報からなる検索用データが作成され、その作成された検索用データ通知部１０３に通知される（ステップ３０３）。
【００８４】
なお、情報提供システム３による情報提供処理では、携帯電話機１０Ａが連絡先格納部１０４を備えていないため、連絡先格納部１０４から連絡先情報及び重要度情報を取得する情報提供システム１のステップ１０３に相当するステップは含まれておらず、そのため、検索用データ通知部１０３により作成される検索用データにも連絡先情報及び重要度情報は含まれない。
【００８５】
続いて、情報提供システム１のステップ１０５及び１０６に対応するステップ３０４及び３０５を経て、格納部２０２Ａ又はインターネット網４０による検索結果が検索結果ファイル生成部２０３へ出力される。
【００８６】
次に、検索用データ受信部２０１の検索用データ送信元取得部２０１Cによって、携帯電話機１０Ａ（情報要求端末）の連絡先を表す送信元情報が取得して、その取得した送信元情報が連絡先取得部２０１Ｂに出力される（ステップ３０６）。次に、連絡先取得部２０１Ｂによって、グループ情報格納サーバ６０にアクセスされ送信元情報が所属しているグループが検索される（ステップ３０７）。なお、送信先情報が複数のグループに所属している場合、検索用語句情報及び付随情報を用いて、グループの特徴と比較して最適なグループのみが選択される。
【００８７】
その後、連絡先取得部２０１Ｂによって、そのグループの連絡先（連絡先情報）及び重要度情報が取得され、送信先情報（送信元情報及び連絡先情報）及び重要度情報が検索結果ファイル生成部２０３に出力される（ステップ３０８）。
【００８８】
次に、情報提供システム１のステップ１０８〜１１０に相当するステップ３０９〜３１１経て、情報要求端末の携帯電話機１０Ａ及び情報共有端末の携帯電話機１０Ｂ，１０Ｃの各ユーザは、それぞれの携帯電話機１０Ａ，１０Ｂ及び１０Ｃに送信された検索結果ファイルを受信して（ステップ３１１）重要度情報に応じた情報を取得することができる。なお、検索結果ファイル中に詳細な各情報提供元が表示された場合には、その情報提供元に情報提供元アクセス部１０６を用いてアクセスすることができる。
【００８９】
情報提供システム３が、以上のような構成を採用することにより、検索要求端末である携帯電話機１０Ａに情報共有端末である携帯電話機１０Ｂ及び１０Ｃが事前に登録されていなくても、携帯電話機１０Ａ，１０Ｂ及び１０Ｃに自動的に且つ迅速に検索結果を送信することができる。また、情報共有端末を事前に登録する必要がないため、携帯電話機１０Ａのメモリを圧迫することがない。また、携帯電話機１０Ａ，１０Ｂ及び１０Ｃに、重要度情報に基づく検索結果ファイルが送信される。このように、重要度に応じて検索結果ファイルによる提供情報内容を変更することにより適切な情報の提供、通信トラフィックの削減及び提供情報内容の最適化を図ることができ、その結果、情報共有先に応じて効率的な情報共有を図ることができる。
【００９０】
（第４実施形態）  
以下、本発明の第４実施形態について説明する。図１７及び図１８に示すように、第４実施形態に係る情報提供システム４は、検索要求送信サーバ５０を更に備える点と、検索要求送信サーバ５０を備えることに起因して携帯電話機１０Ａが入力部１０１に替えて検索要求受信部１０７を有する点で、第３実施形態の情報提供システム３と相違する。その他の構成は、情報提供システム３の構成と同等であるため、同一の符号を付して重複説明を省略する。
【００９１】
検索要求送信サーバ５０は、所定の状態が発生された場合等において、通信ネットワーク２０を介して、所定のエリアに在圏する携帯電話機１０Ａに検索を要求する信号である検索要求信号を送信するものである。
【００９２】
携帯電話機１０Ａの検索要求受信部１０７は検索要求送信サーバ５０から送信された検索要求信号を受信すると共に、受信された検索要求信号内に含まれている検索用語句情報を抽出して、その検索用語句情報を検索用データ通知部１０３に出力する。検索用データ通知部１０３は、検索用語句情報を受信する検索用語句格納部１０２からその検索用語句情報に対応づけて格納されている付随情報を取得する。
【００９３】
以下、図１９を参照しつつ、本実施形態に係る情報提供システム４で実行される情報提供処理の流れについて説明する。
【００９４】
まず、検索要求送信サーバ５０から、通信ネットワーク２０を介して所定のエリアに在圏する携帯電話機１０Ａに対して検索要求信号が送信される（ステップ４０１）と、検索要求受信部１０７により検索要求信号内に検索用語句情報が含まれているかが判断される（ステップ４０２）。その判断の結果、検索用語句情報が含まれていないと判断されたときは、処理が終了される（ステップ４０３）。一方、検索要求信号内に検索用語句情報が含まれていると判断された場合には、検索用語句情報が抽出され、検索用データ通知部１０３に出力される（ステップ４０４）。
【００９５】
その後、情報提供システム３のステップ３０２〜ステップ３１１に相当するステップ４０５〜ステップ４１４を経て携帯電話機１０Ｂ及び１０Ｃのユーザは、重要度情報に応じて加工された検索結果ファイルが受信され、開示程度に相当する情報が取得される。
【００９６】
情報提供システム４が上記のような構成を採用することで、携帯電話機１０Ａのユーザが、直接に検索部２０２により検索される検索用語句情報を入力しない場合であっても、また携帯電話機１０Ａに事前に情報共有端末である携帯電話機１０Ｂ及び１０Ｃの連絡先情報を登録しなくとも、携帯電話機１０Ａとグループ情報格納サーバに格納されている情報共有端末（１０Ｂ及び１０Ｃ）に自動的に且つ迅速に検索結果を送信することができる。
【００９７】
上述した第４実施形態の情報提供システム４は、第２実施形態の情報提供システム２と同様に災害が発生した場合に災害情報提供システムに適用することができる。その適用態様を具体的に説明すると、検索要求送信サーバ５０が、例えば地震という災害の発生を検知した場合に、検索要求信号として緊急通報を災害による被害が及ぶ地域に在圏する携帯電話機１０Ａを含む携帯電話機に送信する。検索要求受信部１０７は、緊急通報内に含まれている検索用語句情報“地震”を抽出して、その検索用語句情報“地震”を検索用データ通知部１０３に出力する。検索用データ通知部１０３は、検索用語句情報“地震”を受信すると共に、検索用語句格納部１０２に格納されている付随情報を取得する。また、付随情報としては、検索要求回数と位置情報とが挙げられる。
【００９８】
ここで、検索要求回数とは、同一の検索用語句情報“地震”を含む緊急通報が複数連続して送信された場合において、緊急通報を受信して情報提供サーバに対して検索要求を実施した検索要求回数をいう。また、位置情報とは、緊急通報を受信した携帯電話機１０Ａの位置を特定するためのものであり、携帯電話機１０Ａが通信を利用するために保持している基地局の位置を表す基地局位置情報をいう。
【００９９】
情報提供システム４が適用された災害情報提供システムで実行される情報提供は、情報提供システム４のステップ４０１〜４１４と同様のステップを経て処理される。但し、ステップ４０２の情報提供元が得られたか否かが判断においては、災害内容“地震”に関する一般的な語句を検索できるか否かの判断ではなく、真の災害情報が含まれているか否かが判断される。
【０１００】
このように情報提供システム４を災害情報提供システムに適用することにより、携帯電話機１０Ａのユーザが、直接に検索部２０２により検索される検索用語句情報を入力しない場合であっても、また携帯電話機１０Ａに事前に情報共有端末である携帯電話機１０Ｂ及び１０Ｃの連絡先情報を登録しなくとも、必要な情報を早急に共有することができる。
【０１０１】
（第５実施形態）
次に、本発明の第５実施形態について説明する。図２０に示すように、第５実施形態に係る情報提供システム５は、携帯電話機１０Ａが検索要求受信部１０７、検索用データ通知部１０３及び、検索用語句格納部１０２を有しておらず、通信部１０５及び情報提供元アクセス部１０６からなる点において、第４実施形態に係る情報提供システム４と相違する。また、情報提供サーバ３０が、既存の機能に加え、携帯電話機が有していた検索要求受信部１０７、及び検索用データ通知部１０３の機能を果たし、検索用語句格納部１０２を更に有する点で相違する。
【０１０２】
検索用語句格納部１０２は、情報提供システム４における携帯電話機１０Ａに含まれていたもので、検索用語句情報と、各検索用語句情報に関連付けられており検索用語句情報に付随する情報である付随情報とを予め格納するものである。
【０１０３】
検索用データ受信部２０１の検索内容取得部２０１Ａは、第４実施形態の検索内容取得部２０１Ａの機能に加えて、携帯電話機の検索要求受信部１０７、及び検索用データ通知部１０３の機能を果たす。すなわち、検索要求送信サーバ５０から送信された検索要求信号を受信すると共に、受信された検索要求信号内に含まれている検索用語句情報を抽出する。また、検索用語句格納部１０２からその検索用語句情報に対応づけて格納されている付随情報を取得する。なお、その検索用語句情報及び付随情報は検索部２０２に出力される。
【０１０４】
以下、図２１を参照しつつ、本実施形態に係る情報提供システム５で実行される情報提供処理の流れについて説明する。
【０１０５】
まず、検索要求送信サーバ５０から、通信ネットワーク２０を介して所定のエリアに在圏する情報提供サーバ３０に対して検索要求信号が送信される（ステップ５０１）と、情報提供サーバ３０の検索内容取得部２０１Ａにより検索要求信号内に検索用語句情報が含まれているか否かが判断される（ステップ５０２）。その判断の結果、検索用語句情報が含まれていないと判断されたときは、処理が終了される（ステップ５０３）。一方、検索要求信号内に検索用語句情報が含まれていると判断された場合には、検索用語句情報が抽出されると共に、検索用語句情報の付随情報が検索用語句格納部１０２から取得される（ステップ５０４）。その後、抽出された検索用語句情報及び取得された付随情報が検索部２０２へ出力される（ステップ５０５）。
【０１０６】
続いて、情報提供システム４のステップ４０８〜４１４に相当するステップ５０６〜５１２を経て情報要求端末の携帯電話機１０Ａ及び情報共有端末の携帯電話機１０Ｂ，１０Ｃの各ユーザは、それぞれの携帯電話機１０Ａ，１０Ｂ及び１０Ｃに送信された検索結果ファイルを受信して（ステップ４１４）重要度情報に応じた情報を取得することができる。なお、検索結果ファイル中に詳細な情報提供元各が表示された場合には、その情報提供元に情報提供元アクセス部１０６を用いてアクセスすることができる。
【０１０７】
情報提供システム５がこのような構成を採用することで、このような構成の情報提供システムを採用することにより、携帯電話機１０Ａの構成要素を大きく追加することなく、情報提供システム４と同様の効果を得ることができる。すなわち、携帯電話機１０Ａのユーザが、直接に検索部２０２により検索される検索用語句情報を入力しない場合であっても、また携帯電話機１０Ａに事前に情報共有端末である携帯電話機１０Ｂ及び１０Ｃの連絡先情報を登録しなくとも、携帯電話機１０Ａの構成要素を大きく追加することなく必要な情報を早急に共有することができる。
【０１０８】
上述した第５実施形態の情報提供システム５は、第２及び４実施形態の情報提供システム２及び４と同様に災害が発生した場合に災害情報提供システムに適用することができる。その適用態様を具体的に説明すると、検索要求送信サーバ５０が、例えば地震という災害の発生を検知した場合に、検索要求信号として緊急通報を災害による被害が及ぶ地域に在圏する携帯電話機１０Ａを含む携帯電話機に送信する。情報提供サーバ３０の検索内容取得部２０１Ａは、検索要求信号内に検索用語句情報が含まれているか否かによって判断する。検索要求信号内に検索用語句情報が含まれていると判断された場合には、検索用語句情報が抽出されると共に、検索用語句情報の付随情報が検索用語句格納部１０２から取得され、その検索用語句情報及び付随情報が検索部２０２へ出力される。なお、付随情報としては、検索要求回数と位置情報とが挙げられる。
【０１０９】
ここで、検索要求回数とは、同一の検索用語句情報“地震”を含む緊急通報が複数連続して送信された場合において、緊急通報を受信して情報提供サーバに対して検索要求を実施した検索要求回数をいう。また、位置情報とは、緊急通報を受信した携帯電話機１０Ａの位置を特定するためのものであり、携帯電話機１０Ａが通信を利用するために保持している基地局の位置を表す基地局位置情報をいう。
【０１１０】
情報提供システム５が適用された災害情報提供システムで実行される情報提供は、情報提供システム５のステップ５０１〜５１２と同様のステップを経て処理される。但し、ステップ５０２の情報提供元が得られたか否かが判断においては、災害内容“地震”に関する一般的な語句を検索できるか否かの判断ではなく、真の災害情報が含まれているか否かが判断される。
【０１１１】
また、ステップ５０７〜ステップ５０９による送信先情報の取得手順は、以下の手順に替えることもできる。連絡先取得部２０１Ｂは、情報提供サーバ３０の位置情報及び緊急通報に記載されているエリア情報を元にグループ情報格納サーバ６０にアクセスして該当エリアに在圏するユーザがグループ内に存在するか確認する。メンバー検出はグループ情報格納サーバ６０に登録されているメンバーと関連付けられている在圏位置情報と情報提供サーバの位置情報あるいは緊急通報より取得したエリア情報を比較して位置情報が一致すれば該当エリアに在圏していると判断する。
【０１１２】
なお、メンバーの在圏位置情報についてはグループ情報格納サーバ６０で管理することでも、グループ情報格納サーバ６０とは別の位置情報を管理するためのサーバを設置してメンバーとその位置情報を管理することとしても良い。また、メンバーの位置情報については携帯情報端末から周期的に送信される位置情報を登録する。または、グループ情報管理サーバ、位置情報管理サーバからの定期的な位置情報取得要求により取得することでも問題はない。グループ内に被災地に在圏しているメンバーがいない場合は検索結果を送信する必要がないため、当該グループに対する処理を終了する。
【０１１３】
グループ内に該当エリアに在圏しているメンバーがいる場合には、グループメンバー全員の連絡先を取得し、該当エリアに在圏するメンバーと該当エリア外に在圏するメンバーに分け、該当エリアに在圏するメンバーを検索要求元、該当エリア外に在圏するメンバーを連絡先として設定する。
【０１１４】
なお、被災地に在圏しているメンバー及び被災地外に在圏しているメンバーに同一の検索結果を送信する場合は、メンバー分けを実施しないこととしても問題はない。連絡先取得装置で取得した連絡先、重要度と検索要求回数から送信用ファイル生成装置で連絡先の重要度に応じて検索結果ファイルを作成する。検索結果ファイルを携帯情報端末（携帯電話機１０Ａ）及び連絡先（携帯電話機１０Ｂ及び１０Ｃ）に送信し、検索結果を受信した携帯電話機１０Ａ、１０Ｂ、及び１０Ｃで情報提供元にアクセスして詳細情報を取得する。
【０１１５】
情報提供システム５を災害情報提供システムに適用することにより、携帯電話機１０Ａのユーザが、直接に検索部２０２により検索される検索用語句情報を入力しない場合であっても、また携帯電話機１０Ａに事前に情報共有端末である携帯電話機１０Ｂ及び１０Ｃの連絡先情報を登録しなくとも、携帯電話機１０Ａの構成要素を大きく追加することなく、必要な情報を早急に共有することができる。
【０１１６】
以下、図２２を用いて、第１〜第５の実施形態に係る情報提供システムにおいて作成された複数の検索結果ファイルが単一の送信先に送信される場合において、その複数の検索結果ファイルの提供方法について説明する。
【０１１７】
まず、検索結果ファイル生成部２０３で検索結果ファイルが作成される（ステップ６０１）。その後、送信先情報をソートする（ステップ６０２）。具体的に説明すると、携帯電話機より情報提供サーバ３０へ検索用データを送信するシステムの場合は、一定時間内に発生した検索要求に対応する検索用データを送信した検索要求端末の送信元（検索要求端末）情報及び、当該情報要求端末に関連付けられている連絡先情報をソートし、情報提供サーバ３０が検索要求信号を受信するシステムの場合は検索要求信号から取得した送信元情報及びグループ情報格納サーバ６０より取得した連絡先情報をソートする。
【０１１８】
図２３（ａ）において、送信元のユーザ（検索要求者）ごとにソートする例が概略的に示されている。図２３（ａ）の例によれば、検索要求者ＡＡＡＡに対応する連絡先はａａａａａ、ｂｂｂｂｂ、ｃｃｃｃｃの３件であるが、連絡先ａａａａａには検索要求者ＡＡＡＡのみでなく、検索要求者ＣＣＣＣ及び検索要求者ＤＤＤＤの検索結果ファイルも送信する必要が生じている。同様に連絡先ｃｃｃｃｃには検索要求者ＡＡＡＡのみでなく、検索要求者ＤＤＤＤにも送信する必要が生じている。また、連絡先に検索要求者の携帯電話機が含まれる場合もあり、連絡先ＢＢＢＢ（＝検索要求者ＢＢＢＢ）には検索要求者ＥＥＥＥ（＝検索要求者ＥＥＥＥ）の情報を送信する必要が生じている。
【０１１９】
続いて、連絡先情報ごとに検索結果ファイルをソートする（ステップ６０３）。図２３（ｂ）においては、ソートの対象の連絡先が被災地以外にいる場合のソートの結果を、図２３（ｃ）においては、ソートの対象の連絡先が被災地にいる場合のソートの結果を示している。図２３（ｂ）によれば、連絡先ａａａａａに対する検索要求者はＡＡＡＡ，ＣＣＣＣ及びＤＤＤＤであり、それぞれの位置情報は○○県、××県及び○○県になっている。また、図２３（ｃ）によれば、連絡先ＢＢＢＢ及びＥＥＥＥは互いに検索要求者（ＥＥＥＥ及びＢＢＢＢ）を対象としている。
【０１２０】
続いて、検索結果ファイルのすべてが共通するか否かを判断する（ステップ６０４）。検索結果ファイルのすべてが同じてあると判断されたときは、いずれか1つの検索結果ファイルのみを採用する（ステップ６０５）。また、検索結果ファイルのうち異なるものがある場合には、そのうち同じ検索結果ファイルがあるかを判断する（ステップ６０６）。判断の結果、同じ検索結果ファイルがある場合は当該検索結果ファイルのいずれか1つの検索結果のみを採用する（ステップ６０７）。一方、検索結果ファイルのすべてが互いに異なる場合には、それぞれの検索結果ファイルを採用する（ステップ６０８）。
【０１２１】
これにより、各連絡先に対する検索結果ファイルを最適化し、その最適化された検索結果ファイルが各送信先情報に送信され（ステップ６０９）、提供方法が終了される。
【０１２２】
図２４に、連絡先の携帯電話機に送信される最適化された検索結果ファイルの例が示されている。
【０１２３】
連絡先ａａａａａには検索要求者ＡＡＡＡ、検索要求者ＣＣＣＣ、検索要求者ＤＤＤＤの検索結果ファイルを送信する必要があるが、検索要求者ＡＡＡＡと検索要求者ＤＤＤＤの検索結果ファイルが同じであることより、検索結果ファイルにある情報提供元をまとめる。また、検索要求者ＣＣＣＣの検索結果ファイルは検索要求者ＡＡＡＡと検索要求者ＤＤＤＤの検索結果ファイルと異なるため、検索要求者ＡＡＡＡ及び検索要求者ＤＤＤＤの検索結果ファイルとは別に記載する（図２４（ａ）参照）。連絡先ｂｂｂｂｂには検索要求者ＡＡＡＡの検索結果ファイルのみを送信すれば良く当該検索結果ファイルを採用する（図２４（ｂ）参照）。連絡先ｃｃｃｃｃには検索要求者ＡＡＡＡ、検索要求者ＤＤＤＤの検索結果ファイルを送信する必要があるが、検索要求者ＡＡＡＡと検索要求者ＤＤＤＤの検索結果ファイルが同じであることより、検索結果ファイルにある情報提供元をまとめる（図２４（ｃ）参照）。連絡先ＢＢＢＢ及びＥＥＥＥが互いに検索要求者（ＥＥＥＥ及びＢＢＢＢ）を対象としている場合には、詳しい情報を提供する必要はないため簡単な内容のみが提供される（図２４（ｄ）参照）。上記のように検索結果ファイルを最適化した後に、送信先情報に送信する。
【０１２４】
このように、上述した検索結果ファイルの提供方法によれば、情報共有先に応じて最適化された検索結果ファイルを送信することができ、情報共有先に応じて効率的な情報の共有が可能となる。特に、緊急通報は同報サービスであり、緊急通報を受信した携帯情報端末から検索用データが送信されるタイミングは一定時間内に集中する。しかし、この検索結果ファイルの提供方法によれば、送信元端末及び情報共有端末に最適化された検索結果ファイルを送信することができ、上述した実施形態１〜５に記載された情報提供システムをより効率的に利用することができる。
【０１２５】
本発明は、前述した種々の実施形態に限定されるものではない。例えば、本実施形態において情報提供先は携帯電話機１０Ｂ、１０Ｃのメールアドレスが想定されているが、これに限定されず、PCメール等の接続先であってもよい。また、本実施形態においては、検索用語句情報の数は特定されていないが、１つでもよく、２つ以上であってもよい。
【０１２６】
また、検索用データは、検索に必要な情報が明示してあれば良いため、情報提供サーバが処理可能なデータ構造であれば、データ様式は問わない。
【０１２７】
第３実施形態において、情報提供サーバ３０及びグループ情報格納サーバ６０は、別々に設けられたものであるが、両サーバの機能を有する１つのサーバから構成されていてもよい。
【０１２８】
また、第３実施形態の情報提供システム３のグループ情報格納部６１ではカテゴリ名が１階層とされているが、これに限定されず、例えば趣味であれば第１階層を「スポーツ」、第２階層を「野球」、「サッカー」等に細分化し、第３階層を野球であれば「プロ野球（日本）」、「メジャーリーグ」と更に細分化し、サッカーであれば「Jリーグ」、「海外サッカー」と細分化してもよい。また、送信元情報が複数のグループに所属している場合、カテゴリ名と検索用語句情報及び付随情報とを用いて検索結果ファイルを送信する最適なグループを選択する構成となっていてもよい。
【０１２９】
また、本実施形態において、付随情報である位置情報は、携帯電話機１０Ａ（検索要求端末）が通信を利用するために保持している基地局の位置を表す基地局位置情報とされているが、これに限定されることはなく、例えば、通信する基地局の位置に基づいて定められる位置が携帯電話機１０Ａの位置であると仮定した上で、基地局のセルの情報を用いて測位するセルベース測位方式又はＧＰＳ方式によって、測位された携帯電話機１０Ａの詳細な位置情報とされてもよい。
【図面の簡単な説明】
【０１３０】
【図１】第１実施形態のシステム構成例を示す図である。
【図２】第１実施形態の携帯電話機の構成例を示す図である。
【図３】第１実施形態の検索用データ通知部により作成される検索用データの一例を示す図である。
【図４】第１実施形態の情報提供サーバの構成例を示す図である。
【図５】第１実施形態の索結果ファイルの送信例を示す図である。
【図６】情報提供システム１で実行される情報提供処理の流れについて説明するための図である。
【図７】第２実施形態のシステム構成例を示す図である。
【図８】第２実施形態の携帯電話機の構成例を示す図である。
【図９】情報提供システム２で実行される情報提供処理の流れについて説明するための図である。
【図１０】第２実施形態の検索用データ通知部によって作成された検索用データの一例を示す図である。
【図１１】情報提供システム２を災害情報提供システムに適用した場合の検索結果ファイルの一例を示す図である。
【図１２】第３実施形態のシステム構成例を示す図である。
【図１３】第３実施形態の携帯電話機の構成例を示す図である。
【図１４】第３実施形態の情報提供サーバの構成例を示す図である。
【図１５】第３実施形態のグループ情報格納サーバ内のグループ情報格納部に格納された情報について説明するための図である。
【図１６】情報提供システム３で実行される情報提供処理の流れについて説明するための図である。
【図１７】第４実施形態のシステム構成例を示す図である。
【図１８】第４実施形態の携帯電話機の構成例を示す図である。
【図１９】情報提供システム４で実行される情報提供処理の流れについて説明するための図である。
【図２０】第５実施形態の情報提供サーバの構成例である。
【図２１】情報提供システム５で実行される情報提供処理の流れについて説明するための図である。
【図２２】第１〜第５の実施形態に係る情報提供システムにおいて作成された検索結果ファイルの提供方法について説明する。
【図２３】検索結果ファイルの提供方法のソートの一例を示す図である。
【図２４】連絡先の携帯電話機に送信される最適化された検索結果ファイルの一例を示す図である。
【符号の説明】
【０１３１】
１…情報提供システム、１０Ａ，１０Ｂ，１０Ｃ…携帯電話機、３０…情報提供サーバ、５０…検索要求送信サーバ、６０…グループ情報格納サーバ、１０１…入力部、１０２…検索用語句格納部、１０４…連絡先格納部、１０５…通信部、１０７…検索要求受信部、２０１…検索用データ受信部、２０２…検索部。
【図１】
0005137688.tif 000002
【図２】
0005137688.tif 000003
【図３】
0005137688.tif 000004
【図４】
0005137688.tif 000005
【図５】
0005137688.tif 000006
【図６】
0005137688.tif 000007
【図７】
0005137688.tif 000008
【図８】
0005137688.tif 000009
【図９】
0005137688.tif 000010
【図１０】
0005137688.tif 000011
【図１１】
0005137688.tif 000012
【図１２】
0005137688.tif 000013
【図１３】
0005137688.tif 000014
【図１４】
0005137688.tif 000015
【図１５】
0005137688.tif 000016
【図１６】
0005137688.tif 000017
【図１７】
0005137688.tif 000018
【図１８】
0005137688.tif 000019
【図１９】
0005137688.tif 000020
【図２０】
0005137688.tif 000021
【図２１】
0005137688.tif 000022
【図２２】
0005137688.tif 000023
【図２３】
0005137688.tif 000024
【図２４】
0005137688.tif 000025